(57)【要約】【課題】自分で出した音が実際の遮音壁や遮音床を通じてどのように聞こえるのかを音を出した側に居ながら体験してもらうことができる遮音性能体験システム及び遮音性能体験提供方法を提供する。【解決手段】遮音壁１を挟む一方の側をヒト配置側３とし、遮音壁１を挟んでヒト配置側３と反対の側にマイク４が設けられてヒト配置側３から発して遮音壁１を通じて伝えられる音がマイク４に拾われるようになされている。そして、ヒト配置側３にスピーカー６が設けられ、遅延装置９によって、マイク４に拾われた音が、ヒト配置側３から発する音に遅れてスピーカー６から発するようになされている。かかる体験システムを用いて遮音性能を体験してもらう。【選択図】      図１
2007101583.tif 000002
【特許請求の範囲】
【請求項１】
遮音壁又は遮音床を挟む一方の側をヒト配置側とし、遮音壁又は遮音床を挟んでヒト配置側と反対の側にマイクが設けられてヒト配置側から発して遮音壁又は遮音床を通じて伝えられる音がマイクに拾われるようになされていると共に、
ヒト配置側にスピーカーが設けられ、マイクに拾われた音が、遅延装置によって、ヒト配置側から発する音に遅れてスピーカーから発するようになされていることを特徴とする遮音性能体験システム。
【請求項２】
遮音壁又は遮音床を挟む一方の側をヒト配置側とし、該ヒト配置側にマイクが設けられてヒト配置側で発せられる音がマイクに拾われるようになされていると共に、
遮音壁又は遮音床を挟んでヒト配置側と反対の側にスピーカーが設けられ、マイクに拾われた音が、遅延装置によって、ヒト配置側から発する音に遅れてスピーカーから発し、遮音壁又は遮音床を通じてヒト配置側に伝えられるようになされていることを特徴とする遮音性能体験システム。
【請求項３】
遮音床又は遮音壁を挟む一方の側をヒト配置側とし、遮音床又は遮音壁を挟んでヒト配置側と反対の側にマイクが設けられてヒト配置側で遮音床又は遮音壁に対して与えられる衝撃によってヒト配置側と反対の側に伝えられる衝撃音がマイクに拾われるようになされていると共に、
ヒト配置側にスピーカーが設けられ、マイクに拾われた衝撃音が、遅延装置によって、ヒト配置側で遮音床又は遮音壁に対して与えられる衝撃に遅れてスピーカーから発するようになされていることを特徴とする遮音性能体験システム。
【請求項４】
請求項１乃至３のいずれか一に記載の遮音性能体験システムを用いて、遮音性能を体験してもらうことを特徴とする遮音性能体験提供方法。
【発明の詳細な説明】
【技術分野】
【０００１】
本発明は、壁、床についての遮音性能を体験してもらうのに用いられる遮音性能体験システム及び遮音性能体験提供方法に関する。
【背景技術】
【０００２】
壁、床についての遮音性能を体験してもらう方法として、従来より種々の方法が提供されているが、自分で出した音が実際の遮音壁や遮音床を通じてどのように聞こえるのかを音を出した側に居ながら体験してもらうことができるようになされたものは、未だ提供されていない。
【発明の開示】
【発明が解決しようとする課題】
【０００３】
本発明は、上記のような問題点に鑑み、自分で出した音が実際の遮音壁や遮音床を通じてどのように聞こえるのかを音を出した側に居ながら体験してもらうことができる遮音性能体験システム及び遮音性能体験提供方法を提供することを課題とする。
【課題を解決するための手段】
【０００４】
上記の課題は、遮音壁又は遮音床を挟む一方の側をヒト配置側とし、遮音壁又は遮音床を挟んでヒト配置側と反対の側にマイクが設けられてヒト配置側から発して遮音壁又は遮音床を通じて伝えられる音がマイクに拾われるようになされていると共に、
ヒト配置側にスピーカーが設けられ、マイクに拾われた音が、遅延装置によって、ヒト配置側から発する音に遅れてスピーカーから発するようになされていることを特徴とする遮音性能体験システムによって解決される（第１発明）。
【０００５】
この体験システムでは、ヒト配置側において自分で出した音は、遮音壁又は遮音床を通じてヒト配置側と反対の側に伝えられてマイクに拾われ、それが、発音時点から遅れてヒト配置側においてスピーカーから発せられて聞くことができ、自分で出した音が実際の遮音壁や遮音床を通じてどのように聞こえるのかをヒト配置側に居ながら体験してもらうことができる。
【０００６】
また、上記の課題は、遮音壁又は遮音床を挟む一方の側をヒト配置側とし、該ヒト配置側にマイクが設けられてヒト配置側で発せられる音がマイクに拾われるようになされていると共に、
遮音壁又は遮音床を挟んでヒト配置側と反対の側にスピーカーが設けられ、マイクに拾われた音が、遅延装置によって、ヒト配置側から発する音に遅れてスピーカーから発し、遮音壁又は遮音床を通じてヒト配置側に伝えられるようになされていることを特徴とする遮音性能体験システムによって解決される（第２発明）。
【０００７】
この体験システムでは、ヒト配置側において自分で出した音は、ヒト配置側でマイクに拾われ、発音時点から遅れて、ヒト配置側と反対の側においてスピーカーから発せられ、それが、遮音壁又は遮音床を通じて、ヒト配置側に伝えられて聞くことができ、自分で出した音が実際の遮音壁や遮音床を通じてどのように聞こえるのかをヒト配置側に居ながら体験してもらうことができる。
【０００８】
また、上記の課題は、遮音床又は遮音壁を挟む一方の側をヒト配置側とし、遮音床又は遮音壁を挟んでヒト配置側と反対の側にマイクが設けられてヒト配置側で遮音床又は遮音壁に対して与えられる衝撃によってヒト配置側と反対の側に伝えられる衝撃音がマイクに拾われるようになされていると共に、
ヒト配置側にスピーカーが設けられ、マイクに拾われた衝撃音が、遅延装置によって、ヒト配置側で遮音床又は遮音壁に対して与えられる衝撃に遅れてスピーカーから発するようになされていることを特徴とする遮音性能体験システムによって解決される（第３発明）。
【０００９】
この体験システムでは、ヒト配置側において自分で遮音床又は遮音壁に衝撃を与えて発せられた衝撃音は、ヒト配置側と反対の側においてマイクに拾われ、それが、衝撃時点から遅れてヒト配置側においてスピーカーから発せられて聞くことができ、自分で出した音が実際の遮音壁や遮音床を通じてどのように聞こえるのかをヒト配置側に居ながら体験してもらうことができる。
【００１０】
また、上記の課題は、第１乃至第３発明のいずれか一つの遮音性能体験システムを用いて、遮音性能を体験してもらうことを特徴とする遮音性能体験提供方法によって、同様に解決される。
【発明の効果】
【００１１】
本発明は、以上のとおりのものであるから、自分で出した音が実際の遮音壁や遮音床を通じてどのように聞こえるのかを音を出した側に居ながら体験してもらうことができる。
【発明を実施するための最良の形態】
【００１２】
次に、本発明の実施最良形態を図面に基づいて説明する。
【００１３】
図１に示す体験システムは第１発明及び第３発明の実施形態（第１実施形態）である。１は遮音壁、２は遮音床、３はヒト配置側であり、遮音壁１を挟んでヒト配置側３と反対の側に壁側マイク４が設けられると共に、遮音床２を挟んでヒト配置側３と反対の側に床側マイク５が設けられている。また、ヒト配置側３には、遮音壁１の側に壁側スピーカー６が設けられると共に、天井側に天井側スピーカー７が設けられている。
【００１４】
そして、上記の壁側、床側の各マイク４，５はマイク側切換え器８に接続され、該マイク側切換え器８は遅延装置９を介してアンプ１０に接続され、アンプ１０はスピーカー側切換え器１１に接続され、スピーカー側切換え器１１に壁側、天井側の各スピーカー６，７が接続され、切換え器８，１１の切換えによって、壁側マイク４で拾われた音が壁側スピーカー６から発せられ、また、床側マイク５で拾われた音が天井側スピーカー７から発せられるようになされている。遅延装置９による遅延は、例えば３〜５秒に設定される。
【００１５】
上記の体験システムでは、図２（イ）に示すように、ヒト配置側３に居るヒトが、実際の遮音壁１に向けて「聞こえますかー」などの声を発すると、その声は遮音壁１を通じて向こう側に伝えられ、壁側マイク４にリアルタイムで拾われる。そして、マイクで拾われた音は、遅延装置９により、発声時から所定の時間、例えば３〜５秒、遅れた時点で、図２（ロ）に示すように、ヒト配置側３の壁側スピーカー６から発し、その音をヒト配置側３に居る人が聞くことができる。
【００１６】
また、図３（イ）に示すように、ヒト配置側３に居るヒトが、足踏みや飛び跳ねをして実際の遮音床２に衝撃を与えると、その衝撃音は、遮音床２の下に伝えられ、床側マイク５にリアルタイムで拾われる。そして、マイクで拾われた音は、遅延装置９により、衝撃を与えた時点から所定の時間、例えば３〜５秒、遅れた時点において、図３（ロ）に示すように、ヒト配置側３の天井側スピーカー７から発し、その音をヒト配置側３に居る人が聞くことができる。
【００１７】
こうして、上記の体験システムによれば、自分で出した音が実際の遮音壁１や遮音床２を通じてどのように聞こえるのかをヒト配置側３に居ながら体験してもらうことができる。また、発する声や衝撃を加減することによって、それぞれの声や衝撃について、聞こえ方がどのように異なるかを体験することも可能である。更に、これを、他人に助けを借りることなく、一人で行うことができる。
【００１８】
図４（イ）に示す体験システムは第２発明の実施形態（第２実施形態）であり、該体験システムは、ヒト配置側３にマイク４が設けられると共に、遮音壁１を挟んでヒト配置側３と反対の側にスピーカー６が設けられ、マイク４とスピーカー６とが遅延装置９とアンプ１０を介して接続されているものである。
【００１９】
この体験システムでは、図４（ロ）に示すように、ヒト配置側３に居るヒトが、遮音壁１に向けて「聞こえますかー」などの声を発すると、その声はヒト配置側３においてマイク４に拾われる。そして、マイクで拾われた音は、遅延装置９により、発声時から所定の時間遅れた時点で、図４（ハ）に示すように、遮音壁１の向こう側のスピーカー６から発し、実際の遮音壁１を通じてヒト配置側３に伝えられ、その音をヒト配置側３に居る人が聞くことができる。こうして、自分で出した声が実際の遮音壁１を通じてどのように聞こえるのかをヒト配置側３に居ながら体験してもらうことができる。
【００２０】
図５（イ）に示す体験システムは、第１発明の他の実施形態（第３実施形態）であり、該体験システムは、ヒト配置側３が、遮音性能の異なる複数の壁１ａ〜１ｄで囲まれ、各壁１ａ〜１ｄの向こう側にマイク４…が設けられると共に、各壁１ａ〜１ｄのヒト配置側３にスピーカー６…が設けられ、マイク４とスピーカー６とが遅延装置９とアンプ１０とを介して接続されているものであり、この体験システムによれば、各壁１ａ〜１ｄの遮音性能を比較しながら体験することができる。
【００２１】
図５（ロ）に示す体験システムは、第３発明の他の実施形態（第４実施形態  ）であり、該体験システムは、ヒト配置側３の床が、遮音性能の異なる複数の床２ａ，２ｂで形成され、各床２ａ，２ｂの向こう側にマイク５，５が設けられると共に、天井側にスピーカー７が設けられ、マイク５，５とスピーカー７とが切換え器８、遅延装置９及びアンプ１０を介して接続されているものであり、この体験システムによれば、各床２ａ，２ｂの遮音性能を比較しながら体験することができる。
【００２２】
以上に、本発明の実施形態を示したが、本発明はこれに限られるものではなく、発明思想を逸脱しない範囲で各種の変更が可能である。例えば、本発明の体験システムは、物置大の閉じられた空間内をヒト配置側とし、その壁や床を遮音壁や遮音床としたものに構成されていてもよいし、また、実際の建物に組み込むかたちで構成されていてもよい。
【００２３】
また、ヒト配置側で発せられる音は、声に限らず、ヒトが鳴らす楽器などの音であってもよいし、また、ヒト配置側で遮音壁や遮音床に与えられる衝撃は、足踏みや飛び跳ねによるものに限らず、物を落下させたり、物で叩いたりすることなどによる衝撃であってもよい。
【００２４】
更に、本発明では、ヒト配置側で発せられ遮音床を通じて向こう側に伝えられる音をヒト配置側で聞いてもらうことのできる構成（第１発明）になっていてもよいし、ヒト配置側で発せられ、遮音床を通じてヒト配置側に伝えられる音をヒト配置側で聞いてもらうことのできる構成（第２発明）になっていてもよいし、ヒト配置側で遮音壁に衝撃を与えて向こう側に伝えられる衝撃音をヒト配置側で聞いてもらうことができる構成（第３発明）になっていてもよい。
【００２５】
また、壁についてのみの体験システムに構成されていてもよいし、床についてのみの体験システムに構成されていてもよいし、壁と床の両方についての体験システムに構成されていてもよい。
【図面の簡単な説明】
【００２６】
【図１】第１実施形態の体験システムを示す断面正面図である。
【図２】図（イ）及び図（ロ）は同体験システムを用いた遮音壁についての体験方法を順次に示す断面側面図である。
【図３】図（イ）及び図（ロ）は同体験システムを用いた遮音床についての体験方法を順次に示す断面側面図である。
【図４】図（イ）は第２実施形態の体験システムを示す断面正面図、図（ロ）及び図（ハ）は体験方法を順次に示す断面正面図である。
【図５】図（イ）は第３実施形態の体験システムを示す断面平面図、図（ロ）は第４実施形態の体験システムを示す断面正面図である。
【符号の説明】
【００２７】
１…遮音壁
２…遮音床
３…ヒト配置側
４…マイク
５…マイク
６…スピーカー
７…スピーカー
９…遅延装置
【図１】
2007101583.tif 000003
【図２】
2007101583.tif 000004
【図３】
2007101583.tif 000005
【図４】
2007101583.tif 000006
【図５】
2007101583.tif 000007